(57)【要約】【課題】番組宣伝などの予告情報を利用して簡単な操作で対象番組の録画予約を可能にする。【解決手段】録画予約装置として機能する携帯端末１００Ａは、表示部１０３に第１の番組を表示中に、番組予約指示操作がなされた場合、制御部１０１にて第１の番組の番組情報を取得し、時刻管理部１０５にて番組予約指示操作がなされた操作時刻情報を記憶し、タグ情報取得部１０８にて、第１の番組の番組情報を番組構成情報サーバ２００Ａに対して通知して第１の番組に関する番組タグ情報を取得し、予約情報作成部１０９により、操作時刻情報と番組タグ情報とに基づき、番組予約指示操作がなされた操作時刻に対応するシーンにて番組宣伝がなされた第２の番組について、録画予約するための予約情報を生成または取得し、番組予約部１１０により、予約情報を用いて第２の番組の録画予約を行う。【選択図】図２
2014013953.tif 000002
【特許請求の範囲】
【請求項１】
自装置または他装置に表示されている第１の番組の番組情報を取得する番組情報取得部と、
前記第１の番組における番組予約指示操作がなされた操作時刻情報を記憶する操作時刻記憶部と、
前記第１の番組の番組情報を番組構成情報サーバに対して通知し、前記番組構成情報サーバから前記第１の番組に関する番組構成情報を取得する番組構成情報取得部と、
前記操作時刻情報と前記番組構成情報とに基づき、前記番組予約指示操作がなされた操作時刻に関連する第２の番組を録画予約するための予約情報を生成または取得し、前記予約情報を出力する予約情報出力部と、
を備える録画予約装置。
【請求項２】
請求項１に記載の録画予約装置であって、
前記番組構成情報は、前記第１の番組の番組内のシーンごとの内容に関するタグ情報を有する番組タグ情報を含み、
前記番組予約部は、前記操作時刻情報と前記番組タグ情報とに基づき、前記番組予約指示操作がなされた操作時刻に対応するシーンのタグ情報から、前記第２の番組の予約情報を生成または取得する、録画予約装置。
【請求項３】
請求項１または２に記載の録画予約装置であって、
前記番組構成情報取得部は、前記第１の番組に関する番組構成情報が前記番組構成情報サーバに存在しない場合、該当番組の番組構成情報が前記番組構成情報サーバより取得可能になると通知されるように番組構成情報の通知予約を行う、録画予約装置。
【請求項４】
請求項１から３のいずれか一項に記載の録画予約装置であって、
前記予約情報出力部は、前記第１の番組において番組予約指示操作がなされた操作時刻に対応するシーンが番組宣伝である場合に、前記番組宣伝に該当する第２の番組の予約情報を生成または取得する、録画予約装置。
【請求項５】
請求項１から４のいずれか一項に記載の録画予約装置であって、
前記第１の番組として、自装置にて受信している放送番組または再生している録画番組において、番組予約指示操作がなされた場合、
前記番組構成情報取得部は、前記自装置に表示されている放送番組または録画番組に関する番組構成情報を前記番組構成情報サーバより取得し、
前記予約情報出力部は、前記放送番組または録画番組において番組予約指示操作がなされた操作時刻に関連する第２の番組の予約情報を生成または取得し、
前記予約情報を用いて前記第２の番組の録画予約を行う番組予約部を備える、録画予約装置。
【請求項６】
請求項１から４のいずれか一項に記載の録画予約装置であって、
前記第１の番組として、他装置にて受信され自装置にてストリーミング再生している放送番組または自装置にて再生している録画番組において、番組予約指示操作がなされた場合、
前記番組構成情報取得部は、前記自装置に表示されている放送番組または録画番組に関する番組構成情報を前記番組構成情報サーバより取得し、
前記予約情報出力部は、前記放送番組または録画番組において番組予約指示操作がなされた操作時刻に関連する第２の番組の予約情報を生成または取得し、前記他装置に対して前記第２の番組の録画予約を行うための予約情報を出力する、録画予約装置。
【請求項７】
請求項１から４のいずれか一項に記載の録画予約装置であって、
前記第１の番組として、第１の他装置にて受信している放送番組または再生している録画番組において、番組予約指示操作がなされた場合、
前記番組情報取得部は、前記第１の他装置に表示されている放送番組または録画番組に関する番組情報を、前記第１の他装置または第２の他装置より取得し、
前記番組構成情報取得部は、前記番組情報に対応する番組構成情報を前記番組構成情報サーバより取得し、
前記予約情報出力部は、前記放送番組または録画番組において番組予約指示操作がなされた操作時刻に関連する第２の番組の予約情報を生成または取得し、前記第２の他装置に対して前記第２の番組の録画予約を行うための予約情報を出力する、録画予約装置。
【請求項８】
請求項１から４のいずれか一項に記載の録画予約装置であって、
前記第１の番組として、他装置にて受信している放送番組または再生している録画番組において、番組予約指示操作がなされた場合、
前記番組情報取得部は、前記他装置に表示されている放送番組または録画番組に関する番組情報を、前記他装置より取得し、
前記番組構成情報取得部は、前記番組情報に対応する番組構成情報を前記番組構成情報サーバより取得し、
前記予約情報出力部は、前記放送番組または録画番組において番組予約指示操作がなされた操作時刻に関連する第２の番組の予約情報を生成または取得し、
前記予約情報を用いて前記第２の番組の録画予約を行う番組予約部を備える、録画予約装置。
【請求項９】
請求項１に記載の録画予約装置であって、
前記第１の番組のコンテンツまたは関連情報を表示する表示部を有し、
前記表示部において、前記第２の番組に関する番組予約指示操作が可能な場合に、番組予約指示操作を行うための操作部を表示する、録画予約装置。
【請求項１０】
自装置または他装置に表示されている第１の番組の番組情報を取得するステップと、
前記第１の番組における番組予約指示操作がなされた操作時刻情報を記憶するステップと、
前記第１の番組の番組情報を番組構成情報サーバに対して通知し、前記番組構成情報サーバから前記第１の番組に関する番組構成情報を取得するステップと、
前記操作時刻情報と前記番組構成情報とに基づき、前記番組予約指示操作がなされた操作時刻に関連する第２の番組を録画予約するための予約情報を生成または取得し、前記予約情報を出力するステップと、
を有する録画予約方法。
【発明の詳細な説明】
【技術分野】
【０００１】
本開示は、放送番組の録画予約を行う装置に関し、例えば携帯端末などに適用可能な録画予約装置及び録画予約方法に関する。
【背景技術】
【０００２】
放送番組の録画を行う方法としては、電子番組ガイド（ＥＰＧ（Electronic Program Guide））を用いて録画予約を行うことが一般に普及している。他の方法として、放送中の番組宣伝の情報を利用して、宣伝対象の番組の録画予約を行うことも提案されている。
【０００３】
例えば、特許文献１には、番組の途中に流れる番組宣伝等のコンテンツ案内から、予約録画を行う映像記録再生装置が開示されている。この映像記録再生装置は、受信中又は再生中の映像データから、当該映像データとは異なるコンテンツを示すコンテンツ情報を抽出し、このコンテンツ情報に対応するコンテンツの記録又は再生を制御するものである。コンテンツ情報の抽出は、画像データからテロップの領域を切り出し、テロップ領域から文字であると判断される画素領域を抽出し、文字認識処理を行って認識した候補文字列を取得し、電子番組表と照合して対応する番組の情報を抽出することによって行う。
【先行技術文献】
【特許文献】
【０００４】
【特許文献１】特開２００８−１３１４１３号公報
【発明の概要】
【発明が解決しようとする課題】
【０００５】
上記特許文献１の従来技術では、映像中のテロップ領域の文字認識を行って番組録画予約用のコンテンツ情報を取得している。しかしながら、画像の文字認識によるため、崩した文字の場合、文字が無い番組宣伝の場合などでは、コンテンツ情報を取得できず、対象番組の録画予約ができないという課題がある。
【０００６】
本開示は、番組宣伝などの予告情報を利用して簡単な操作で対象番組の録画予約が可能な録画予約装置及び録画予約方法を提供する。
【課題を解決するための手段】
【０００７】
本開示は、自装置または他装置に表示されている第１の番組の番組情報を取得する番組情報取得部と、前記第１の番組における番組予約指示操作がなされた操作時刻情報を記憶する操作時刻記憶部と、前記第１の番組の番組情報を番組構成情報サーバに対して通知し、前記番組構成情報サーバから前記第１の番組に関する番組構成情報を取得する番組構成情報取得部と、前記操作時刻情報と前記番組構成情報とに基づき、前記番組予約指示操作がなされた操作時刻に関連する第２の番組を録画予約するための予約情報を生成または取得し、前記予約情報を出力する予約情報出力部と、を備える録画予約装置を提供する。
【０００８】
本開示は、自装置または他装置に表示されている第１の番組の番組情報を取得するステップと、前記第１の番組における番組予約指示操作がなされた操作時刻情報を記憶するステップと、前記第１の番組の番組情報を番組構成情報サーバに対して通知し、前記番組構成情報サーバから前記第１の番組に関する番組構成情報を取得するステップと、前記操作時刻情報と前記番組構成情報とに基づき、前記番組予約指示操作がなされた操作時刻に関連する第２の番組を録画予約するための予約情報を生成または取得し、前記予約情報を出力するステップと、を有する録画予約方法を提供する。
【発明の効果】
【０００９】
本開示によれば、番組宣伝などの予告情報を利用して簡単な操作で対象番組の録画予約が可能な録画予約装置及び録画予約方法を提供できる。
【図面の簡単な説明】
【００１０】
【図１】第１の実施形態に係る番組録画システムの構成及び動作の概略を示す図
【図２】第１の実施形態に係る番組録画システムの構成を示すブロック図
【図３】第１の実施形態に係る番組録画システムの処理の第１例を示すシーケンス図
【図４】第１の実施形態に係る番組録画システムの処理の第２例を示すシーケンス図
【図５】第２の実施形態に係る番組録画システムの構成及び動作の概略を示す図
【図６】第２の実施形態に係る番組録画システムの構成を示すブロック図
【図７】第２の実施形態に係る番組録画システムの処理の一例を示すシーケンス図
【図８】第３の実施形態に係る番組録画システムの構成及び動作の概略を示す図
【図９】第３の実施形態に係る番組録画システムの構成を示すブロック図
【図１０】第３の実施形態に係る番組録画システムの処理の一例を示すシーケンス図
【図１１】第４の実施形態に係る番組録画システムの構成及び動作の概略を示す図
【図１２】第４の実施形態に係る番組録画システムの構成を示すブロック図
【図１３】第４の実施形態に係る番組録画システムの処理の一例を示すシーケンス図
【図１４】番組予約を指示する所定の操作の第１例を示す表示画面の図
【図１５】番組予約を指示する所定の操作の第２例を示す表示画面の図
【発明を実施するための形態】
【００１１】
以下の実施形態では、本開示に係る録画予約装置及び録画予約方法を、通信機能を有する携帯端末に適用した例を示す。
【００１２】
（第１の実施形態）
図１は、第１の実施形態に係る番組録画システムの構成及び動作の概略を示す図である。第１の実施形態は、携帯端末にて放送番組の視聴、録画予約及び録画動作を行う例であり、番組録画システムは、携帯端末１００Ａと番組構成情報サーバ２００Ａとを有する構成である。
【００１３】
携帯端末１００Ａは、放送視聴機能として、ワンセグ（1seg）（商標、以下同様）放送の受信機能を有し、ワンセグ放送の番組を受信して表示することにより、使用者が番組を視聴できる。また、携帯端末１００Ａは、録画機能を有し、受信したワンセグ放送の番組を録画して映像データを記憶することにより、使用者が任意の時間に録画番組を再生して視聴できる。
【００１４】
番組構成情報サーバ２００Ａは、番組構成情報の情報提供サービスを実施するためのサーバ装置であり、テレビジョン放送などのコンテンツ放送について、放送される各番組に関する番組構成情報を管理、提供するものである。テレビジョン放送としては、地上デジタル放送（１３セグメント）、ワンセグ放送（１セグメント）などがある。
【００１５】
番組構成情報として、本実施形態では、番組内のシーンごとの情報を有する番組タグ情報を用いる。番組タグ情報は、番組をシーンという単位に区切り、各シーンに関してジャンル、詳細内容などの情報を紐付けたタグ情報を含むものである。タグ情報には、関連情報を得るための関連ＵＲＬ（Uniform Resource Locator）などを付加できる。番組タグ情報によって、録画した番組の中から見たいシーンや見どころを容易に抽出すること、あるいは、対象となるシーンの関連情報（シーン中の商品や店舗の情報など）を容易に得ることなどが可能である。この種の番組構成情報の情報提供サービスとしては、ＭｅＭＯＲＡなどがある。
【００１６】
携帯端末１００Ａは、番組構成情報サーバ２００Ａにネットワークを介してアクセスして、番組タグ情報要求を送信して対象となる番組の番組タグ情報を取得し、番組内の特定のシーンの情報を取得可能になっている。
【００１７】
番組においては、番組内にて他の番組の番組宣伝などの予告情報が存在する。番組の予告情報としては、コマーシャルの時間または番組内の一部時間に提供される番組宣伝、あるいは、番組内の一シーンにおいて示される番組関連の予告など、種々の形態が想定される。本実施形態では、使用者が、放送番組または録画番組の視聴中に、他の番組の番組宣伝などの予告情報に対して、携帯端末１００Ａを用いて番組予約を指示する所定の操作（番組予約指示操作）を行うものとする。
【００１８】
携帯端末１００Ａは、ワンセグ放送の受信中または録画番組の再生中に、現在視聴している番組内にて他の番組の番組宣伝などの予告情報があり、この時点で使用者により番組予約指示操作がなされた場合、番組構成情報サーバ２００Ａから対応する番組の番組タグ情報を取得する。そして、携帯端末１００Ａは、番組予約の操作がなされた時点に相当する番組宣伝のシーンのタグ情報を抽出し、該当する番組の放送日時、チャンネルを含む予約情報を作成または抽出して、録画予約を実行する。
【００１９】
図２は、第１の実施形態に係る番組録画システムの構成を示すブロック図である。携帯端末１００Ａと番組構成情報サーバ２００Ａとは、ネットワーク５００を介して接続され、番組タグ情報などの送受信を行う。
【００２０】
携帯端末１００Ａは、制御部１０１、チューナー部１０２、表示部１０３、操作部１０４、時刻管理部１０５、メモリ部１０６、送受信部１０７、タグ情報取得部１０８、予約情報作成部１０９、番組予約部１１０、録画部１１１を有する。
【００２１】
制御部１０１は、ＣＰＵ等のプロセッサ及びメモリを有する情報処理部（コンピュータ）により構成され、所定のプログラムを実行することにより、本実施形態の番組予約に関する各種処理の制御を行う。チューナー部１０２は、ワンセグ放送の放送波を受信する受信部を有し、配信される番組の動画映像データによるコンテンツデータを取得する。表示部１０３は、液晶ディスプレイ、有機ＥＬ（Electro-Luminescence）ディスプレイなどの表示装置を有し、チューナー部１０２にて取得した放送中のコンテンツデータ、または録画部１１１に記録され再生されたコンテンツデータを表示する。また、表示部１０３は、制御部１０１から送出される文字、画像等の各種表示情報などを表示する。
【００２２】
操作部１０４は、タッチパネル、プッシュボタンスイッチなどの入力デバイスを有し、使用者の操作に応じた操作入力を行う。時刻管理部１０５は、タイマを有し、使用者による番組予約を指示する所定の操作（番組予約指示操作）がなされた操作時刻の時間情報（操作時刻情報）を取得する。すなわち、時刻管理部１０５は、番組予約指示操作がなされた操作時刻情報を記憶する操作時刻記憶部の機能を実現する。
【００２３】
メモリ部１０６は、フラッシュメモリ等の記憶素子を有し、番組予約の操作時刻情報、番組タグ情報などの各種情報を記憶する。メモリ部１０６は、録画部１１１にて録画した番組のコンテンツデータを記憶し保存しておくことも可能である。
【００２４】
送受信部１０７は、無線ＬＡＮ等によるネットワーク５００と接続され、ネットワーク５００を介して番組構成情報サーバ２００Ａと通信を行う通信インタフェースを有し、番組タグ情報要求の送信、番組タグ情報の受信等を行う。
【００２５】
タグ情報取得部１０８は、送受信部１０７を介して番組構成情報サーバ２００Ａに番組タグ情報要求を行い、表示部１０３に表示されている視聴中または再生中の番組に対応する番組タグ情報を取得する。すなわち、タグ情報取得部１０８は、番組構成情報サーバ２００Ａから視聴中または再生中の第１の番組に関する番組タグ情報を取得する番組構成情報取得部の機能を実現する。ここで、制御部１０１は、視聴中または再生中の第１の番組に関する番組情報を取得する番組情報取得部の機能を実現する。
【００２６】
また、タグ情報取得部１０８は、対象となる第１の番組に関する番組タグ情報が番組構成情報サーバ２００Ａに存在しない場合、該当番組の番組タグ情報が番組構成情報サーバ２００Ａより取得可能になると自装置に通知されるように、番組タグ情報の通知予約を行う機能を有する。
【００２７】
予約情報作成部１０９は、取得した番組タグ情報から、番組予約の操作がなされた時点に相当する番組宣伝のシーンのタグ情報を抽出する。この際、予約情報作成部１０９は、メモリ部１０６から番組予約の操作時刻情報と番組タグ情報を読み出し、操作時刻に対応するシーンを特定し、該当シーンのタグ情報を抽出する。操作時刻情報は、操作時刻に対応する番組の映像データのタイムコードにおける視聴時間または再生時間、すなわち映像データ上の位置（番組内の時間または位置）を示す情報である。番組タグ情報において、操作時刻情報（時間情報または位置情報）から該当するシーンを識別でき、シーンに対応するタグ情報を抽出できる。
【００２８】
予約情報作成部１０９は、抽出された番組宣伝のシーンのタグ情報を用いて、番組宣伝に対応する第２の番組の放送日時、チャンネルなどを含む予約情報を作成する。なお、タグ情報自体に予約情報が含まれている場合は、予約情報作成部１０９は、該当シーンのタグ情報から録画予約に必要な予約情報を抽出する。すなわち、予約情報作成部１０９は、番組予約指示操作がなされた操作時刻に関連する第２の番組を録画予約するための予約情報を生成または取得し、予約情報を出力する予約情報出力部の機能を実現する。
【００２９】
番組予約部１１０は、予約情報を用いて、録画部１１１に対して対象番組の録画予約を行う。この際、録画すべき番組の放送日時、チャンネルなどを設定する。録画部１１１は、録画予約に従って、チューナー部１０２にて取得した放送番組のコンテンツデータを記録する。録画部１１１は、使用者の指示に従って、任意の放送番組のコンテンツデータを記録することも可能である。
【００３０】
上記構成において、タグ情報取得部１０８、予約情報作成部１０９、番組予約部１１０は、ＣＰＵ等のプロセッサ及びメモリを有する情報処理部（コンピュータ）により構成され、所定のソフトウェアプログラムを実行することにより、各機能を実現する。
【００３１】
番組構成情報サーバ２００Ａは、制御部２０１、送受信部２０２、メモリ部２０３、タイマ部２０４、予約管理部２０５を有する。
【００３２】
制御部２０１は、ＣＰＵ等のプロセッサ及びメモリを有する情報処理部（コンピュータ）により構成され、所定のプログラムを実行することにより、番組タグ情報の提供に関する各種処理の制御を行う。
【００３３】
送受信部２０２は、無線ＬＡＮ等によるネットワーク５００と接続され、ネットワーク５００を介して携帯端末１００Ａと通信を行う通信インタフェースを有し、番組タグ情報要求の受信、番組タグ情報の送信等を行う。
【００３４】
メモリ部２０３は、フラッシュメモリ等の記憶素子、またはハードディスクドライブ等の記憶装置を有し、各放送番組の番組タグ情報などの各種情報を記憶する。メモリ部２０３は、番組タグ情報のデータベースを構成し、蓄積しておく。タイマ部２０４は、タイマを有し、番組タグ情報の通知処理などの各種処理に関連する時間管理を行う。
【００３５】
予約管理部２０５は、要求のあった番組タグ情報が未作成の場合に、後で作成完了したら番組タグ情報を通知するための通知予約を実行する。ここでは、番組構成情報サーバ２００Ａは、番組の放送終了から所定時間経過後（例えば２時間後）に、該当番組の番組タグ情報を作成して蓄積するものとする。現在放送中の番組など、要求のあった番組に対応する番組タグ情報が未だ作成完了していない場合、予約管理部２０５は、通知予約を行い、番組タグ情報が作成完了したときに、要求を受けた携帯端末１００Ａに対して番組タグ情報を通知させる。すなわち、予約管理部２０５は、番組構成情報サーバ２００Ａに該当番組の番組タグ情報が存在しない場合、番組タグ情報が作成されて取得可能になると携帯端末１００Ａに通知するよう、通知予約を行う。
【００３６】
上記構成において、予約管理部２０５は、ＣＰＵ等のプロセッサ及びメモリを有する情報処理部（コンピュータ）により構成され、所定のソフトウェアプログラムを実行することにより、各機能を実現する。
【００３７】
図３は、第１の実施形態に係る番組録画システムの処理の第１例を示すシーケンス図である。第１例は、携帯端末にてワンセグ放送を録画した番組を視聴しているときに番組予約操作がなされた場合の動作を示したものである。
【００３８】
携帯端末１００Ａの制御部１０１は、ワンセグ放送の録画番組を再生開始し（Ｓ１０１）、表示部１０３に録画番組の動画コンテンツを表示して使用者が視聴可能にする。この状態で、携帯端末１００Ａの操作部１０４は、番組再生中に番組予約を指示する所定の操作を検出する。所定の操作として、例えば、使用者により番組宣伝再生中にタッチパネルによる所定のＵＩ操作（所定位置のタップなど）がなされた場合（Ｓ１０２）、この操作部１０４の操作入力に基づき、携帯端末１００Ａの制御部１０１は、番組予約に関する情報取得を開始する（Ｓ１０３）。
【００３９】
携帯端末１００Ａの制御部１０１は、番組予約に関する情報として、まず、番組名及び操作時刻を取得する。番組名の情報については、再生している録画番組のコンテンツ情報から取得する。操作時刻の情報については、時刻管理部１０５より操作タイミングにおける映像データのタイムコードなどの番組中の時間情報を取得する。
【００４０】
そして、携帯端末１００Ａのタグ情報取得部１０８は、送受信部１０７を介して番組構成情報サーバ２００Ａに対して番組タグ情報要求を送信する（Ｓ１０４）。この番組タグ情報要求において、タグ情報取得部１０８は、番組名の情報を番組構成情報サーバ２００Ａに通知する。
【００４１】
番組構成情報サーバ２００Ａの制御部２０１は、送受信部２０２を介して番組タグ情報要求を受信すると、メモリ部２０３に蓄積している番組タグ情報のデータベースを参照し、番組名の情報から該当番組の番組タグ情報を検索する（Ｓ１０５）。そして、番組構成情報サーバ２００Ａの制御部２０１は、検索により抽出された番組タグ情報要求に対応する番組の番組タグ情報を、送受信部２０２を介して送信し、携帯端末１００Ａに通知する（Ｓ１０６）。
【００４２】
携帯端末１００Ａのタグ情報取得部１０８は、送受信部１０７を介して番組タグ情報を受信すると、番組予約の操作時刻の時間情報と番組タグ情報とから、番組内の操作時刻に対応するシーンを特定し、番組宣伝に該当する特定シーンのタグ情報を抽出する（Ｓ１０７）。
【００４３】
そして、携帯端末１００Ａの予約情報作成部１０９は、抽出された番組宣伝のシーンのタグ情報を用いて、対応する番組の放送日時、チャンネルなどを含む予約情報を作成する（Ｓ１０８）。あるいは、予約情報作成部１０９は、該当シーンのタグ情報に予約情報が含まれている場合に、タグ情報から録画予約に必要な予約情報を抽出する。
【００４４】
次に、携帯端末１００Ａの番組予約部１１０は、予約情報に従って、ワンセグ放送の対象番組の録画予約を設定する（Ｓ１０９）。録画予約の時間になると、録画部１１１は、対象チャンネルのワンセグ放送の番組の録画を行い、番組のコンテンツデータを録画情報として記録する。
【００４５】
図４は、第１の実施形態に係る番組録画システムの処理の第２例を示すシーケンス図である。第２例は、携帯端末にて現在放送中のワンセグ放送の番組を視聴しているときに番組予約操作がなされた場合の動作を示したものである。
【００４６】
携帯端末１００Ａの制御部１０１は、チューナー部１０２を動作させてワンセグ放送の受信を開始し（Ｓ１２１）、表示部１０３に受信番組の動画コンテンツを表示して使用者が視聴可能にする。この状態で、携帯端末１００Ａの操作部１０４は、番組視聴中に番組予約を指示する所定の操作を検出する。所定の操作として、例えば、使用者により番組宣伝視聴中にタッチパネルによる所定のＵＩ操作（所定位置のタップなど）がなされた場合（Ｓ１２２）、この操作部１０４の操作入力に基づき、携帯端末１００Ａの制御部１０１は、番組予約に関する情報取得を開始する（Ｓ１２３）。
【００４７】
携帯端末１００Ａの制御部１０１は、番組予約に関する情報として、番組名及び操作時刻を取得する。番組名の情報については、放送番組に関する電子番組ガイドの番組情報から取得する。操作時刻の情報については、第１例と同様にして番組中の時間情報を取得する。また、携帯端末１００Ａのタグ情報取得部１０８は、送受信部１０７を介して番組構成情報サーバ２００Ａに対して番組タグ情報要求を送信する（Ｓ１２４）。
【００４８】
番組構成情報サーバ２００Ａの制御部２０１は、送受信部２０２を介して番組タグ情報要求を受信すると、メモリ部２０３に蓄積している番組タグ情報のデータベースを参照し、番組名の情報から該当番組の番組タグ情報を検索する（Ｓ１２５）。この場合、現在放送中で未作成のため番組タグ情報が存在しないので、番組構成情報サーバ２００Ａの予約管理部２０５は、番組タグ情報を後で通知するための通知予約を登録する（Ｓ１２６）。そして、番組構成情報サーバ２００Ａの制御部２０１は、送受信部２０２を介して携帯端末１００Ａに対して番組タグ情報作成待ちの通知を送信する（Ｓ１２７）。
【００４９】
番組構成情報サーバ２００Ａにおいて、通知予約登録がなされた番組の番組タグ情報が作成されてメモリ部２０３に登録されると（Ｓ１２８）、制御部２０１は、新規作成された番組タグ情報要求に対応する番組の番組タグ情報を、送受信部２０２を介して送信し、携帯端末１００Ａに通知する（Ｓ１２９）。
【００５０】
携帯端末１００Ａでは、取得した番組タグ情報と番組予約の操作時刻とに基づき、番組宣伝に該当する特定シーンのタグ情報を抽出し（Ｓ１０７）、番組宣伝シーンのタグ情報から予約情報を作成または抽出する（Ｓ１０８）。そして、携帯端末１００Ａは、予約情報に従って対象番組の録画予約を設定し（Ｓ１０９）、録画予約された時間にワンセグ放送の番組の録画を行い、番組のコンテンツデータを録画情報として記録する。
【００５１】
本実施形態によれば、番組構成情報サーバより提供される番組構成情報としての番組タグ情報を利用し、予約対象となる番組の番組宣伝などの予告情報に対応するシーンのタグ情報を取得することによって、容易に正確な予約情報を作成、取得することができる。使用者は、携帯端末１００Ａにてワンセグ放送の受信中または録画番組の再生中に、現在視聴している番組内の他の番組の番組宣伝などの予告情報に対して、番組予約指示操作を行うことによって、簡単な操作で録画予約が可能である。
【００５２】
この際、再生中の番組の番組タグ情報を取得し、番組予約指示操作の操作時刻に対応するシーンのタグ情報から、対象番組の予約情報を作成、取得することができ、正確な録画予約を実行できる。文字情報が無い番組宣伝、あるいは文字が判別しづらい番組宣伝など、対象番組の情報を番組画像から取得困難な番組宣伝の場合であっても、正確な予約情報を作成、取得できる。なお、現在放送中の番組などで、番組タグ情報が未作成で存在しない場合は、通知予約を行うことにより、番組構成情報サーバにおいて番組タグ情報の準備ができた場合に通知を受け、番組タグ情報に基づいて録画予約を行うことができる。
【００５３】
（第２の実施形態）
図５は、第２の実施形態に係る番組録画システムの構成及び動作の概略を示す図である。第２の実施形態は、例えばＨＤＤ（Hard Disk Drive）レコーダなどによる録画機器にて録画または受信した番組を携帯端末に転送して視聴しているときに、携帯端末にて録画予約を行い、録画機器にて録画動作を行う例であり、番組録画システムは、携帯端末１００Ｂと録画機器３００Ｂと番組構成情報サーバ２００Ｂとを有する構成である。ここでは、上述した第１の実施形態と異なる点を中心に説明し、第１の実施形態と同様の構成、動作については説明を省略する。
【００５４】
録画機器３００Ｂは、地上デジタル放送の受信機能、及び録画機能を有し、所望の放送番組の受信、番組コンテンツの記録が可能となっている。
【００５５】
携帯端末１００Ｂは、録画機器３００Ｂにアクセスして録画番組または受信した放送番組のコンテンツデータを取得し、ストリーミングにて再生して使用者に視聴可能にする。そして、携帯端末１００Ｂは、コンテンツデータの再生中に、現在視聴している番組内にて他の番組の番組宣伝があり、使用者により番組予約を指示する所定の操作がなされた場合、録画機器３００Ｂから番組情報を取得し、番組構成情報サーバ２００Ｂから対応する番組の番組タグ情報を取得する。そして、携帯端末１００Ｂは、番組予約の操作がなされた時点に相当する番組宣伝のシーンのタグ情報を抽出し、該当する番組の放送日時、チャンネルを含む予約情報を作成または抽出する。その後、携帯端末１００Ｂは、録画機器３００Ｂに対して予約情報を送信し、録画予約を実行する。
【００５６】
図６は、第２の実施形態に係る番組録画システムの構成を示すブロック図である。携帯端末１００Ｂと録画機器３００Ｂと番組構成情報サーバ２００Ｂとは、ネットワーク５００を介して接続され、番組タグ情報、予約情報などの送受信を行う。
【００５７】
携帯端末１００Ｂは、制御部１０１、チューナー部１０２、表示部１０３、操作部１０４、時刻管理部１０５、メモリ部１０６、送受信部１０７、タグ情報取得部１０８、予約情報作成部１０９、番組予約部１１０を有する。すなわち、携帯端末１００Ｂは、第１の実施形態の携帯端末１００Ａにおいて録画部１１１を有しない構成であり、一部の動作が異なるものである。
【００５８】
番組構成情報サーバ２００Ｂは、制御部２０１、送受信部２０２、メモリ部２０３、タイマ部２０４、予約管理部２０５を有する。すなわち、番組構成情報サーバ２００Ｂは、第１の実施形態の番組構成情報サーバ２００Ａと同様の構成であり、一部の動作が異なるものである。
【００５９】
録画機器３００Ｂは、制御部３０１、送受信部３０２、メモリ部３０３、録画部３０４を有する。
【００６０】
制御部３０１は、ＣＰＵ等のプロセッサ及びメモリを有する情報処理部（コンピュータ）により構成され、所定のプログラムを実行することにより、コンテンツデータの再生及び配信、番組情報の提供、録画実行などに関する各種処理の制御を行う。
【００６１】
送受信部３０２は、無線ＬＡＮ等によるネットワーク５００と接続され、ネットワーク５００を介して携帯端末１００Ｂと通信を行う通信インタフェースを有し、コンテンツデータの送信、番組情報の送信、予約情報の受信等を行う。
【００６２】
メモリ部３０３は、フラッシュメモリ等の記憶素子、またはハードディスクドライブ等の記憶装置を有し、番組情報などの各種情報を記憶する。録画部３０４は、ハードディスクドライブ等の記憶装置を有し、録画予約に従って、放送番組のコンテンツデータを記録する。録画部３０４は、使用者の指示に従って、任意の放送番組のコンテンツデータを記録することも可能である。なお、放送番組のコンテンツデータは、メモリ部３０３に記憶し保存しておくことも可能である。
【００６３】
図７は、第２の実施形態に係る番組録画システムの処理の一例を示すシーケンス図である。図示例は、録画機器にて録画した番組を携帯端末にて視聴しているときに番組予約操作がなされた場合の動作を示したものである。
【００６４】
携帯端末１００Ｂの制御部１０１は、送受信部１０７を介して録画機器３００Ｂにアクセスし、録画番組の視聴を開始する（Ｓ２０１）。ここでは、携帯端末１００Ｂは、ＤＬＮＡ（Digital Living Network Alliance）の仕様におけるＤＬＮＡ−ＰＵＬＬの機能によって、録画機器３００Ｂからコンテンツデータを取得する例を示す。携帯端末１００Ｂの制御部１０１は、取得した録画番組の動画コンテンツを表示部１０３に表示して、使用者が視聴可能にする。
【００６５】
この状態で、携帯端末１００Ｂの操作部１０４は、番組再生中に番組予約を指示する所定の操作を検出する。所定の操作として、例えば、使用者により番組宣伝再生中にタッチパネルによる所定のＵＩ操作（所定位置のタップなど）がなされた場合（Ｓ２０２）、この操作部１０４の操作入力に基づき、携帯端末１００Ｂの制御部１０１は、番組予約に関する情報取得を開始する（Ｓ２０３）。
【００６６】
携帯端末１００Ｂの制御部１０１は、番組予約に関する情報として、まず、番組名及び操作時刻を取得する。番組名の情報については、録画機器３００Ｂより取得したコンテンツデータの番組情報を用いる。この際、録画機器３００Ｂにコンテンツデータに対応する番組情報を要求して通知を受けるようにしてもよい。操作時刻の情報については、時刻管理部１０５より操作タイミングにおける映像データのタイムコードなどの番組中の時間情報を取得する。
【００６７】
そして、携帯端末１００Ｂのタグ情報取得部１０８は、送受信部１０７を介して番組構成情報サーバ２００Ｂに対して番組タグ情報要求を送信する（Ｓ２０４）。番組構成情報サーバ２００Ｂの制御部２０１は、送受信部２０２を介して番組タグ情報要求を受信すると、番組名の情報に基づき、メモリ部２０３に蓄積している番組タグ情報の中から、該当番組の番組タグ情報を検索する（Ｓ２０５）。そして、番組構成情報サーバ２００Ｂの制御部２０１は、番組タグ情報要求に対応する番組の番組タグ情報を、送受信部２０２を介して送信し、携帯端末１００Ｂに通知する（Ｓ２０６）。
【００６８】
携帯端末１００Ｂでは、取得した番組タグ情報と番組予約の操作時刻とに基づき、番組宣伝に該当する特定シーンのタグ情報を抽出し（Ｓ２０７）、番組宣伝シーンのタグ情報から予約情報を作成または抽出する（Ｓ２０８）。その後、携帯端末１００Ｂの制御部１０１は、予約情報を送受信部１０７を介して録画機器３００Ｂに送信し、録画機器３００Ｂにて対象番組の録画予約を行う（Ｓ２０９）。
【００６９】
録画機器３００Ｂの制御部３０１は、携帯端末１００Ｂから送受信部３０２を介して予約情報を受信すると、録画部３０４に対して録画予約を設定する。録画予約の時間になると、録画部３０４は、対象チャンネルの地上デジタル放送の番組の録画を行い、番組のコンテンツデータを録画情報として記録する。
【００７０】
本実施形態によれば、録画機器３００Ｂにて録画または受信した番組を携帯端末１００Ｂに転送して視聴しているときに、使用者は、現在視聴している番組内の他の番組の番組宣伝などの予告情報に対して、携帯端末１００Ｂにて番組予約指示操作を行うことによって、容易に録画予約が可能である。この際、再生中の番組の番組タグ情報を取得し、番組予約指示操作の操作時刻に対応するシーンのタグ情報から、対象番組の予約情報を作成、取得することができ、正確な録画予約を実行できる。
【００７１】
（第３の実施形態）
図８は、第３の実施形態に係る番組録画システムの構成及び動作の概略を示す図である。第３の実施形態は、例えばＴＶ受信機などの放送波出力機器に対して、携帯端末をリモコンとして使用し、放送波出力機器にて放送番組を視聴しているときに、携帯端末にて録画予約を行い、録画機器にて録画動作を行う例である。番組録画システムは、携帯端末１００Ｃと放送波出力機器４００Ｃと録画機器３００Ｃと番組構成情報サーバ２００Ｃとを有する構成である。ここでは、上述した第１及び第２の実施形態と異なる点を中心に説明し、第１及び第２の実施形態と同様の構成、動作については説明を省略する。
【００７２】
放送波出力機器４００Ｃは、地上デジタル放送の受信機能、及び表示機能を有し、所望の放送番組の受信、番組コンテンツの視聴が可能となっている。
【００７３】
携帯端末１００Ｃは、放送波出力機器４００Ｃにおいて放送番組の視聴中に、番組内にて他の番組の番組宣伝があり、使用者から番組予約を指示する所定の操作がなされた場合、放送波出力機器４００Ｃから番組情報を取得し、番組構成情報サーバ２００Ｃから対応する番組の番組タグ情報を取得する。そして、携帯端末１００Ｃは、番組予約の操作がなされた時点に相当する番組宣伝のシーンのタグ情報を抽出し、該当する番組の放送日時、チャンネルを含む予約情報を作成または抽出する。その後、携帯端末１００Ｃは、録画機器３００Ｃに対して予約情報を送信し、録画予約を実行する。
【００７４】
図９は、第３の実施形態に係る番組録画システムの構成を示すブロック図である。携帯端末１００Ｃと録画機器３００Ｃと番組構成情報サーバ２００Ｃとは、ネットワーク５００を介して接続され、番組タグ情報、予約情報などの送受信を行う。放送波出力機器４００Ｃは録画機器３００Ｃと接続される。なお、放送波出力機器４００Ｃはネットワーク５００に接続されていてもよい。
【００７５】
携帯端末１００Ｃは、制御部１０１、表示部１０３、操作部１０４、時刻管理部１０５、メモリ部１０６、送受信部１０７、タグ情報取得部１０８、予約情報作成部１０９、番組予約部１１０、番組情報取得部１１２を有する。すなわち、携帯端末１００Ｃは、第１の実施形態の携帯端末１００Ａにおいてチューナー部１０２及び録画部１１１を有さず、番組情報取得部１１２を追加した構成であり、一部の動作が異なるものである。
【００７６】
番組構成情報サーバ２００Ｃは、制御部２０１、送受信部２０２、メモリ部２０３、タイマ部２０４、予約管理部２０５を有する。すなわち、番組構成情報サーバ２００Ｃは、第１の実施形態の番組構成情報サーバ２００Ａと同様の構成であり、一部の動作が異なるものである。
【００７７】
録画機器３００Ｃは、制御部３０１、送受信部３０２、メモリ部３０３、録画部３０４を有する。すなわち、録画機器３００Ｃは、第２の実施形態の録画機器３００Ｂと同様の構成であり、一部の動作が異なるものである。
【００７８】
放送波出力機器４００Ｃは、制御部４０１、送受信部４０２、チューナー部４０３、メモリ部４０４、出力部４０５を有する。
【００７９】
制御部４０１は、ＣＰＵ等のプロセッサ及びメモリを有する情報処理部（コンピュータ）により構成され、所定のソフトウェアプログラムを実行することにより、放送波の受信、コンテンツデータの表示等による出力、番組情報の提供などに関する各種処理の制御を行う。
【００８０】
送受信部４０２は、録画機器３００Ｃと接続され、録画機器３００Ｃと通信を行うＤＬＮＡインタフェース等の通信インタフェースを有し、コンテンツデータの送信、番組情報の送信等を行う。チューナー部４０３は、地上デジタル放送の放送波を受信する受信部を有し、配信される番組の動画映像データによるコンテンツデータを取得する。メモリ部４０４は、フラッシュメモリ等の記憶素子を有し、番組情報などの各種情報を記憶する。
【００８１】
出力部４０５は、コンテンツデータの表示部または送信部を有し、チューナー部４０３にて取得した放送中のコンテンツデータを出力する。放送波出力機器４００ＣがＴＶ受信機の場合、出力部４０５は液晶ディスプレイなどによる表示部を有する。
【００８２】
図１０は、第３の実施形態に係る番組録画システムの処理の一例を示すシーケンス図である。図示例は、放送波出力機器にて現在放送中の地上デジタル放送の番組を視聴しているときに、携帯端末にて番組予約操作がなされた場合の動作を示したものである。
【００８３】
放送波出力機器４００Ｃの制御部４０１は、チューナー部４０３を動作させて地上デジタル放送の受信を行い、出力部４０５の表示部に受信番組の動画コンテンツを表示して使用者が視聴可能にする（Ｓ３０１）。
【００８４】
この状態で、携帯端末１００Ｃの操作部１０４は、番組予約を指示する所定の操作を検出する。所定の操作として、例えば、使用者によりタッチパネルによる所定のＵＩ操作（所定位置のタップなど）がなされた場合（Ｓ３０２）、この操作部１０４の操作入力に基づき、携帯端末１００Ｃの制御部１０１は、送受信部１０７を介して放送波出力機器４００Ｃに対して番組情報取得要求を送信する（Ｓ３０３）。
【００８５】
放送波出力機器４００Ｃの制御部４０１は、送受信部４０２を介して番組情報取得要求を受信すると、放送番組に関する電子番組ガイドの番組情報を取得する。そして、制御部４０１は、番組情報を送受信部４０２を介して携帯端末１００Ｃ宛に返信し、番組名を含む情報を通知する（Ｓ３０４）。なお、携帯端末１００Ｃは、放送波出力機器４００Ｃにて現在視聴中の番組情報を、録画機器３００Ｃから取得する、あるいは、録画機器３００Ｃ経由で放送波出力機器４００Ｃから取得するようにしてもよい。
【００８６】
携帯端末１００Ｃの制御部１０１は、番組予約に関する情報として、放送波出力機器４００Ｃより通知された番組名の情報を受信するとともに、操作時刻の情報を取得する（Ｓ３０５）。また、携帯端末１００Ｃのタグ情報取得部１０８は、送受信部１０７を介して番組構成情報サーバ２００Ｃに対して番組タグ情報要求を送信する（Ｓ３０６）。
【００８７】
番組構成情報サーバ２００Ｃの制御部２０１は、送受信部２０２を介して番組タグ情報要求を受信すると、メモリ部２０３に蓄積している番組タグ情報のデータベースを参照し、番組名の情報から該当番組の番組タグ情報を検索する（Ｓ３０７）。この場合、現在放送中で未作成のため番組タグ情報が存在しないので、番組構成情報サーバ２００Ｃの予約管理部２０５は、番組タグ情報を後で通知するための通知予約を登録する（Ｓ３０８）。そして、番組構成情報サーバ２００Ｃの制御部２０１は、送受信部２０２を介して携帯端末１００Ｃに対して番組タグ情報作成待ちの通知を送信する（Ｓ３０９）。
【００８８】
番組構成情報サーバ２００Ｃにおいて、通知予約登録がなされた番組の番組タグ情報が作成されてメモリ部２０３に登録されると（Ｓ３１０）、制御部２０１は、新規作成された番組タグ情報要求に対応する番組の番組タグ情報を、送受信部２０２を介して送信し、携帯端末１００Ｃに通知する（Ｓ３１１）。
【００８９】
携帯端末１００Ｃでは、取得した番組タグ情報と番組予約の操作時刻とに基づき、番組宣伝に該当する特定シーンのタグ情報を抽出し（Ｓ３１２）、番組宣伝シーンのタグ情報から予約情報を作成または抽出する（Ｓ３１３）。その後、携帯端末１００Ｃの制御部１０１は、予約情報を送受信部１０７を介して録画機器３００Ｃに送信し、録画機器３００Ｃにて対象番組の録画予約を行う（Ｓ３１４）。
【００９０】
録画機器３００Ｃの制御部３０１は、携帯端末１００Ｃから送受信部３０２を介して予約情報を受信すると、録画部３０４に対して録画予約を設定する。録画予約の時間になると、録画部３０４は、対象チャンネルの地上デジタル放送の番組の録画を行い、番組のコンテンツデータを録画情報として記録する。
【００９１】
本実施形態によれば、ＴＶ受信機などの放送波出力機器４００Ｃにて放送番組を視聴しているときに、使用者は、現在視聴している番組内の他の番組の番組宣伝などの予告情報に対して、携帯端末１００Ｃをリモコンとして使用して番組予約指示操作を行うことによって、容易に録画機器３００Ｃでの録画予約が可能である。この際、再生中の番組の番組情報より番組タグ情報を取得し、番組予約指示操作の操作時刻に対応するシーンのタグ情報から、対象番組の予約情報を作成、取得することができ、正確な録画予約を実行できる。
【００９２】
（第４の実施形態）
図１１は、第４の実施形態に係る番組録画システムの構成及び動作の概略を示す図である。第４の実施形態は、放送波出力機器にて受信した番組を携帯端末に転送して視聴しているときに、携帯端末にて録画予約及び録画動作を行う例である。番組録画システムは、携帯端末１００Ｄと放送波出力機器４００Ｄと番組構成情報サーバ２００Ｄとを有する構成である。ここでは、上述した第１ないし第３の実施形態と異なる点を中心に説明し、第１ないし第３の実施形態と同様の構成、動作については説明を省略する。
【００９３】
携帯端末１００Ｄは、放送波出力機器４００Ｄにて受信した放送番組のコンテンツデータを取得し、ストリーミングにて再生して使用者に視聴可能にする。そして、携帯端末１００Ｄは、コンテンツデータの再生中に、現在視聴している番組内にて他の番組の番組宣伝があり、使用者により番組予約を指示する所定の操作がなされた場合、放送波出力機器４００Ｄから番組情報を取得し、番組構成情報サーバ２００Ｄから対応する番組の番組タグ情報を取得する。そして、携帯端末１００Ｄは、番組予約の操作がなされた時点に相当する番組宣伝のシーンのタグ情報を抽出し、該当する番組の放送日時、チャンネルを含む予約情報を作成または抽出して、録画予約を実行する。
【００９４】
図１２は、第４の実施形態に係る番組録画システムの構成を示すブロック図である。携帯端末１００Ｄと放送波出力機器４００Ｄと番組構成情報サーバ２００Ｄとは、ネットワーク５００を介して接続され、番組情報、番組タグ情報などの送受信を行う。
【００９５】
携帯端末１００Ｄは、制御部１０１、チューナー部１０２、表示部１０３、操作部１０４、時刻管理部１０５、メモリ部１０６、送受信部１０７、タグ情報取得部１０８、予約情報作成部１０９、番組予約部１１０、録画部１１１、番組情報取得部１１２を有する。すなわち、携帯端末１００Ｄは、第１の実施形態の携帯端末１００Ａにおいて番組情報取得部１１２を追加した構成であり、一部の動作が異なるものである。
【００９６】
番組構成情報サーバ２００Ｄは、制御部２０１、送受信部２０２、メモリ部２０３、タイマ部２０４、予約管理部２０５を有する。すなわち、番組構成情報サーバ２００Ｄは、第１の実施形態の番組構成情報サーバ２００Ａと同様の構成であり、一部の動作が異なるものである。
【００９７】
放送波出力機器４００Ｄは、制御部４０１、送受信部４０２、チューナー部４０３、メモリ部４０４、出力部４０５を有する。すなわち、放送波出力機器４００Ｄは、第３の実施形態の放送波出力機器４００Ｃと同様の構成であり、一部の動作が異なるものである。
【００９８】
図１３は、第４の実施形態に係る番組録画システムの処理の一例を示すシーケンス図である。図示例は、放送波出力機器にて現在放送中の地上デジタル放送の番組を受信し、携帯端末に転送して視聴しているときに、番組予約操作がなされた場合の動作を示したものである。
【００９９】
放送波出力機器４００Ｄの制御部４０１は、チューナー部４０３を動作させて地上デジタル放送の受信を行い、出力部４０５の表示部に受信番組の動画コンテンツを表示して使用者が視聴可能にする（Ｓ４０１）。このとき、携帯端末１００Ｄの制御部１０１は、送受信部１０７を介して放送波出力機器４００Ｄにアクセスして、例えばＤＬＮＡ−ＰＵＬＬの機能によってコンテンツデータを取得し、放送番組の視聴を開始する。携帯端末１００Ｄの制御部１０１は、取得した放送番組の動画コンテンツを表示部１０３に表示して、使用者が視聴可能にする。
【０１００】
この状態で、携帯端末１００Ｄの操作部１０４は、番組再生中に番組予約を指示する所定の操作を検出する。所定の操作として、例えば、使用者によりタッチパネルによる所定のＵＩ操作（所定位置のタップなど）がなされた場合（Ｓ４０２）、この操作部１０４の操作入力に基づき、携帯端末１００Ｄの制御部１０１は、送受信部１０７を介して放送波出力機器４００Ｄに対して番組情報取得要求を送信する（Ｓ４０３）。
【０１０１】
放送波出力機器４００Ｄの制御部４０１は、送受信部４０２を介して番組情報取得要求を受信すると、番組情報を送受信部４０２を介して携帯端末１００Ｄ宛に返信し、番組名を含む情報を通知する（Ｓ４０４）。
【０１０２】
携帯端末１００Ｄの制御部１０１は、番組予約に関する情報として、放送波出力機器４００Ｄより通知された番組名の情報を受信するとともに、操作時刻の情報を取得する（Ｓ４０５）。また、携帯端末１００Ｄのタグ情報取得部１０８は、送受信部１０７を介して番組構成情報サーバ２００Ｄに対して番組タグ情報要求を送信する（Ｓ４０６）。
【０１０３】
番組構成情報サーバ２００Ｄの制御部２０１は、送受信部２０２を介して番組タグ情報要求を受信すると、番組名の情報から該当番組の番組タグ情報を検索する（Ｓ４０７）。この場合、現在放送中で未作成のため番組タグ情報が存在しないので、番組構成情報サーバ２００Ｄの予約管理部２０５は、番組タグ情報を後で通知するための通知予約を登録する（Ｓ４０８）。そして、番組構成情報サーバ２００Ｄの制御部２０１は、送受信部２０２を介して携帯端末１００Ｄに対して番組タグ情報作成待ちの通知を送信する（Ｓ４０９）。
【０１０４】
番組構成情報サーバ２００Ｄにおいて、通知予約登録がなされた番組の番組タグ情報が作成されてメモリ部２０３に登録されると（Ｓ４１０）、制御部２０１は、新規作成された番組タグ情報要求に対応する番組の番組タグ情報を、送受信部２０２を介して送信し、携帯端末１００Ｄに通知する（Ｓ４１１）。
【０１０５】
携帯端末１００Ｄでは、取得した番組タグ情報と番組予約の操作時刻とに基づき、番組宣伝に該当する特定シーンのタグ情報を抽出し（Ｓ４１２）、番組宣伝シーンのタグ情報から予約情報を作成または抽出する（Ｓ４１３）。そして、携帯端末１００Ｄは、予約情報に従って対象番組の録画予約を設定し（Ｓ４１４）、録画予約された時間にワンセグ放送の番組の録画を行い、番組のコンテンツデータを録画情報として記録する。
【０１０６】
本実施形態によれば、放送波出力機器４００Ｄにて受信した番組を携帯端末１００Ｄに転送して視聴しているときに、使用者は、現在視聴している番組内の他の番組の番組宣伝などの予告情報に対して、携帯端末１００Ｄにて番組予約指示操作を行うことによって、容易に録画予約が可能である。この際、再生中の番組の番組情報より番組タグ情報を取得し、番組予約指示操作の操作時刻に対応するシーンのタグ情報から、対象番組の予約情報を作成、取得することができ、正確な録画予約を実行できる。
【０１０７】
（表示画面及びＵＩ操作の例）
次に、携帯端末における番組予約を指示する所定の操作について、表示画面とＵＩ操作の例を示す。
【０１０８】
図１４は、番組予約を指示する所定の操作の第１例を示す表示画面の図である。携帯端末の表示部における表示画面１２０には、放送番組または録画番組の動画コンテンツの映像データが表示され、画面上の任意の位置（例えば右上部）に番組予約操作ボタン１２１が表示される。表示画面１２０の下部には、再生操作ボタン群１２２と、時間表示バー１２３とが表示される。番組予約操作ボタン１２１は、放送番組または録画番組の表示中に適宜表示する。例えば、映像データの表示中に常時表示してもよいし、番組予約の対象候補となる番組宣伝のシーンの最後の期間（例えばシーン終了まで５秒間）に表示してもよいし、録画予約可能なシーンの再生中の期間に表示するようにしてもよい。
【０１０９】
使用者が番組予約操作ボタン１２１をタップ操作するなど、タッチパネル上の操作ボタンに対して操作を行うことによって、携帯端末において番組予約指示のＵＩ操作入力が実行される。上述した各実施形態のように、対象番組の録画予約処理が完了し、録画予約が成功すると、「○○○の予約が完了しました」などのメッセージを表示する予約完了表示１２５が表示される。なお、番組タグ情報がまだ作成されていない場合には、「予約を受け付けました」などの通知を行い、番組タグ情報を取得し録画予約が完了した後に予約完了表示１２５を行えばよい。一方、対象番組の放送時間が過ぎている場合など、録画予約処理が正常に行われず、録画予約が失敗した場合は、「予約できませんでした」などのメッセージを表示する予約失敗表示１２６が表示される。
【０１１０】
図１５は、番組予約を指示する所定の操作の第２例を示す表示画面の図である。携帯端末の表示部における表示画面１２０には、第１例と同様に、番組予約操作ボタン１２１が表示される。
【０１１１】
第２例では、使用者が番組予約操作ボタン１２１をタップ操作するなど、タッチパネル上の操作ボタンに対して操作を行うことによって、携帯端末において番組予約指示のＵＩ操作入力が実行され、番組予約指示の操作結果がリスト化される。放送番組または録画番組の再生表示が完了し、番組視聴が終了すると、使用者が番組予約内容の確認を行うための録画予約リスト画面１２８が一覧表示される。
【０１１２】
録画予約リスト画面１２８は、例えば「気になるリスト」として、番組予約指示のＵＩ操作がなされたシーンに対応する番組の予約情報が順に表示される。予約情報には、番組予約操作ボタン１２１が操作された時間情報、あるいは操作時刻に対応する番組の放送時間、番組名などが表示される。使用者は、録画予約リスト画面１２８を参照して、録画予約を実行を許可する予約情報をチェックするなどして選択し、予約開始ボタン１２９をタップ操作などによって操作する。この操作によって、携帯端末は選択された予約情報に関する録画予約処理を一斉に実行する。
【０１１３】
上記のような表示画面及びＵＩ操作によって、使用者は、携帯端末またはＴＶ受信機、モニタ機器等に再生された放送番組または録画番組を視聴しているときに、番組宣伝等の番組関連情報の表示に対して番組予約操作ボタンを操作し、容易に録画予約を行うことができる。
【０１１４】
本開示に係る実施形態の種々の態様として、以下のものが含まれる。
（１）自装置または他装置に表示されている第１の番組の番組情報を取得する番組情報取得部と、前記第１の番組における番組予約指示操作がなされた操作時刻情報を記憶する操作時刻記憶部と、前記第１の番組の番組情報を番組構成情報サーバに対して通知し、前記番組構成情報サーバから前記第１の番組に関する番組構成情報を取得する番組構成情報取得部と、前記操作時刻情報と前記番組構成情報とに基づき、前記番組予約指示操作がなされた操作時刻に関連する第２の番組を録画予約するための予約情報を生成または取得し、前記予約情報を出力する予約情報出力部と、を備える録画予約装置。
【０１１５】
（２）上記の録画予約装置であって、前記番組構成情報は、前記第１の番組の番組内のシーンごとの内容に関するタグ情報を有する番組タグ情報を含み、前記番組予約部は、前記操作時刻情報と前記番組タグ情報とに基づき、前記番組予約指示操作がなされた操作時刻に対応するシーンのタグ情報から、前記第２の番組の予約情報を生成または取得する、録画予約装置。
【０１１６】
（３）上記の録画予約装置であって、前記番組構成情報取得部は、前記第１の番組に関する番組構成情報が前記番組構成情報サーバに存在しない場合、該当番組の番組構成情報が前記番組構成情報サーバより取得可能になると通知されるように番組構成情報の通知予約を行う、録画予約装置。
【０１１７】
（４）上記の録画予約装置であって、前記予約情報出力部は、前記第１の番組において番組予約指示操作がなされた操作時刻に対応するシーンが番組宣伝である場合に、前記番組宣伝に該当する第２の番組の予約情報を生成または取得する、録画予約装置。
【０１１８】
（５）上記の録画予約装置であって、前記第１の番組として、自装置にて受信している放送番組または再生している録画番組において、番組予約指示操作がなされた場合、前記番組構成情報取得部は、前記自装置に表示されている放送番組または録画番組に関する番組構成情報を前記番組構成情報サーバより取得し、前記予約情報出力部は、前記放送番組または録画番組において番組予約指示操作がなされた操作時刻に関連する第２の番組の予約情報を生成または取得し、前記予約情報を用いて前記第２の番組の録画予約を行う番組予約部を備える、録画予約装置。
【０１１９】
（６）上記の録画予約装置であって、前記第１の番組として、他装置にて受信され自装置にてストリーミング再生している放送番組または自装置にて再生している録画番組において、番組予約指示操作がなされた場合、前記番組構成情報取得部は、前記自装置に表示されている放送番組または録画番組に関する番組構成情報を前記番組構成情報サーバより取得し、前記予約情報出力部は、前記放送番組または録画番組において番組予約指示操作がなされた操作時刻に関連する第２の番組の予約情報を生成または取得し、前記他装置に対して前記第２の番組の録画予約を行うための予約情報を出力する、録画予約装置。
【０１２０】
（７）上記の録画予約装置であって、前記第１の番組として、第１の他装置にて受信している放送番組または再生している録画番組において、番組予約指示操作がなされた場合、前記番組情報取得部は、前記第１の他装置に表示されている放送番組または録画番組に関する番組情報を、前記第１の他装置または第２の他装置より取得し、前記番組構成情報取得部は、前記番組情報に対応する番組構成情報を前記番組構成情報サーバより取得し、前記予約情報出力部は、前記放送番組または録画番組において番組予約指示操作がなされた操作時刻に関連する第２の番組の予約情報を生成または取得し、前記第２の他装置に対して前記第２の番組の録画予約を行うための予約情報を出力する、録画予約装置。
【０１２１】
（８）上記の録画予約装置であって、前記第１の番組として、他装置にて受信している放送番組または再生している録画番組において、番組予約指示操作がなされた場合、前記番組情報取得部は、前記他装置に表示されている放送番組または録画番組に関する番組情報を、前記他装置より取得し、前記番組構成情報取得部は、前記番組情報に対応する番組構成情報を前記番組構成情報サーバより取得し、前記予約情報出力部は、前記放送番組または録画番組において番組予約指示操作がなされた操作時刻に関連する第２の番組の予約情報を生成または取得し、前記予約情報を用いて前記第２の番組の録画予約を行う番組予約部を備える、録画予約装置。
【０１２２】
（９）上記の録画予約装置であって、前記第１の番組のコンテンツまたは関連情報を表示する表示部を有し、前記表示部において、前記第２の番組に関する番組予約指示操作が可能な場合に、番組予約指示操作を行うための操作部を表示する、録画予約装置。
【０１２３】
（１０）自装置または他装置に表示されている第１の番組の番組情報を取得するステップと、前記第１の番組における番組予約指示操作がなされた操作時刻情報を記憶するステップと、前記第１の番組の番組情報を番組構成情報サーバに対して通知し、前記番組構成情報サーバから前記第１の番組に関する番組構成情報を取得するステップと、前記操作時刻情報と前記番組構成情報とに基づき、前記番組予約指示操作がなされた操作時刻に関連する第２の番組を録画予約するための予約情報を生成または取得し、前記予約情報を出力するステップと、を有する録画予約方法。
【０１２４】
以上、図面を参照しながら各種の実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施形態における各構成要素を任意に組み合わせてもよい。
【産業上の利用可能性】
【０１２５】
本開示は、番組宣伝などの予告情報を利用して簡単な操作で対象番組の録画予約が可能となる効果を有し、例えば携帯端末などに適用可能な放送番組の録画予約を行う録画予約装置及び録画予約方法等として有用である。
【符号の説明】
【０１２６】
１００Ａ、１００Ｂ、１００Ｃ、１００Ｄ  携帯端末
１０１  制御部
１０２  チューナー部
１０３  表示部
１０４  操作部
１０５  時刻管理部
１０６  メモリ部
１０７  送受信部
１０８  タグ情報取得部
１０９  予約情報作成部
１１０  番組予約部
１１１  録画部
１１２  番組情報取得部
２００Ａ、２００Ｂ、２００Ｃ、２００Ｄ  番組構成情報サーバ
２０１  制御部
２０２  送受信部
２０３  メモリ部
２０４  タイマ部
２０５  予約管理部
３００Ｂ、３００Ｃ  録画機器
３０１  制御部
３０２  送受信部
３０３  メモリ部
３０４  録画部
４００Ｃ、４００Ｄ  放送波出力機器
４０１  制御部
４０２  送受信部
４０３  チューナー部
４０４  メモリ部
４０５  出力部
【図１】
2014013953.tif 000003
【図２】
2014013953.tif 000004
【図３】
2014013953.tif 000005
【図４】
2014013953.tif 000006
【図５】
2014013953.tif 000007
【図６】
2014013953.tif 000008
【図７】
2014013953.tif 000009
【図８】
2014013953.tif 000010
【図９】
2014013953.tif 000011
【図１０】
2014013953.tif 000012
【図１１】
2014013953.tif 000013
【図１２】
2014013953.tif 000014
【図１３】
2014013953.tif 000015
【図１４】
2014013953.tif 000016
【図１５】
2014013953.tif 000017